(57)【要約】【課題】大容量のボトルを供給する際における衝撃力を抑制して、ディスペンサー本体やボトル自体への損傷を防止するとともに、供給時の騒音を極力抑え、さらに、ボトルを取り出す際の労力を軽減することを解決課題とする。【解決手段】内容量の比較的大きなボトルＢを収納するボトル収納部２ａと、このボトル収納部が対向配置され、このボトル収納部の前面を開閉する扉３とを備え、前記ボトル収納部には、収納されるボトルが載置されるとともに、このボトルの収納時若しくは取り出し時に、このボトルの移動を円滑にする摩擦軽減手段４が設けられていることを特徴としている。【選択図】図１
2013114599.tif 000002
【特許請求の範囲】
【請求項１】
内容量の比較的大きなボトルを収納するボトル収納部と、このボトル収納部が対向配置され、このボトル収納部の前面を開閉する扉とを備え、前記ボトル収納部には、収納されるボトルが載置されるとともに、このボトルの収納時若しくは取り出し時に、このボトルの移動を円滑にする摩擦軽減手段が設けられていることを特徴とするボトルディスペンサー。
【請求項２】
前記摩擦軽減手段がローラーコンベアであることを特徴とする請求項１に記載のボトルディスペンサー。
【請求項３】
前記摩擦軽減手段がベルトコンベアであることを特徴とする請求項１に記載のボトルディスペンサー。
【請求項４】
前記ボトル収納部と扉とが一対で一組となされ、その多数組が鉛直面内で隣接して配置され、かつ、各組の扉が同一方向に向けられて配置されていることを特徴とする請求項１ないし請求項３の何れかに記載のボトルディスペンサー。
【請求項５】
前記ボトル収納部が複数設けられているとともに、各ボトル収納部の間隔毎に間欠移送させられるようになされ、かつ、前記扉が、前記複数のボトル収納部の移送停止時に、一つのボトル収納部が対向させられる位置に設けられていることを特徴とする請求項１ないし請求項３の何れかに記載のボトルディスペンサー。
【発明の詳細な説明】
【技術分野】
【０００１】
本発明は、たとえば飲料水等が充填されたボトルを利用者へ供給するボトルディスペンサーに関するものである。
【背景技術】
【０００２】
一般に、たとえば清涼飲料水やミネラルウォータ等を提供若しくは販売する装置としてディスペンサーが知られている。
【０００３】
そして、これらの清涼飲料水やミネラルウォータ等はボトルに充填されて提供されることが殆どで、前述したディスペンサーでは、その本体内にボトルを多数本収納しておき、利用者の操作に基づき、前記ボトルを１本ずつ取り出し口へ供給するようにしている（特許文献１）。
【先行技術文献】
【特許文献】
【０００４】
【特許文献１】特開２０１１−２２７０８号公報
【発明の概要】
【発明が解決しようとする課題】
【０００５】
ところで、前述した従来の技術においては、前記ボトルの供給を、前記ボトルを、本体の収納部から取り出し口へ向けて自然落下させることによって行なっている。
【０００６】
しかしながら、このような供給方法であると、前記ボトルがたとえば３００ｍｌあるいは５００ｍｌといった比較的小容量のボトルである場合にはさほど問題ではないが、飲料水サーバー等に装着される１２Ｌあるいは１５Ｌといった大容量で重量の大きいボトルの供給には不向きである。
【０００７】
すなわち、大容量のボトルを自然落下によって取り出し口へ供給する場合、落下時に生じる衝撃力が大きく、ディスペンサー本体のみならず、ボトル自体にも損傷を与えるおそれがある。
【０００８】
また、取り出し口への落下時に大きな衝撃音が生じ、騒音問題を発生させるおそれがあり、さらに、重量物であるために、取り出し口からボトルを取り出す場合際に労力を必要とするといった問題点もある。
【０００９】
本発明は、前述した従来の技術において残されている問題点を解決することができるボトルディスペンサー提供することを課題とする。
【課題を解決するための手段】
【００１０】
本発明の請求項１に記載のボトルディスペンサーは、内容量の比較的大きなボトルを収納するボトル収納部と、このボトル収納部が対向配置され、このボトル収納部の前面を開閉する扉とを備え、前記ボトル収納部には、収納されるボトルが載置されるとともに、このボトルの収納時若しくは取り出し時に、このボトルの移動を円滑にする摩擦軽減手段が設けられていることを特徴としている。
【００１１】
このような構成とすることにより、収納部に対向配置された扉を開けることによってボトル収納部が開放されてボトルが露出しその取り出しが可能となる。
したがって、ボトルの供給時にボトルとボトルディスペンサーとが衝突するようなことはなく、これらの損傷を防止することができる。
【００１２】
また、ボトルが摩擦軽減手段によって支持されていることから、ボトルをボトルディスペンサーから軽い力で引き出すことができる。
この結果、重量の大きなボトルであっても容易に取り出すことができるばかりでなく、前述したように、ボトルの供給時におけるボトルとボトルディスペンサーとの衝突をなくすことと相俟って、騒音を大幅に軽減することができる。
【００１３】
本発明の請求項２に記載のボトルディスペンサーは、請求項１に記載の前記摩擦軽減手段がローラーコンベアであることを特徴としている。
【００１４】
このように、摩擦軽減手段をローラーコンベアとすることにより、ボトルをボトル収納部から引き出す際に、前記ローラーコンベアのローラーが回転して前記ボトルの移動が行なわれる。
この結果、前記ボトルとボトルディスペンサーとの摩擦が減少し、かつ、摩擦軽減手段とボトルとの接触面積が小さく抑えられることとなり、両者の摩擦を大幅に減少させてボトルの取り出しに要する力を軽減することができる。
【００１５】
本発明の請求項３に記載のボトルディスペンサーは、請求項１に記載の前記摩擦軽減手段がベルトコンベアであることを特徴としている。
【００１６】
このような構成とすると、ボトルの取り出し時に、ベルトコンベアのベルトがボトルとともに移動する。
これにより、前記ボトルとボトルディスペンサーとの摩擦が減少し、ボトルの取り出しに要する労力を軽減することできるばかりでなく、前記ベルトの材質を適宜選択することにより、ベルト自体に吸音性をもたせることが可能となり、ボトルの取り出し時における騒音を大幅に軽減することができる。
【００１７】
本発明の請求項４に記載のボトルディスペンサーは、請求項１ないし請求項３の何れかに記載の前記ボトル収納部と扉とが一対で一組となされ、その多数組が鉛直面内で隣接して配置され、かつ、各組の扉が同一方向に向けられて配置されていることを特徴とする。
【００１８】
このような構成とすることにより、請求項１ないし請求項３によって奏される作用を維持しつつ、多数のボトルを収納し供給することができる。
【００１９】
本発明の請求項５に記載のボトルディスペンサーは、請求項１ないし請求項３の何れかに記載の前記ボトル収納部が複数設けられているとともに、各ボトル収納部の間隔毎に間欠移送させられるようになされ、かつ、前記扉が、前記複数のボトル収納部の移送停止時に、一つのボトル収納部が対向させられる位置に設けられていることを特徴としている。
【００２０】
このような構成とすることにより、前記ボトルは、ボトル収納部とともに間欠移送されて取り出し位置である扉に対向させられる。
これより扉を開けてボトルを露出状態とした後に、このボトルを引き出すことによって取り出すことができる。
【００２１】
そして、前記ボトルはボトル収納部とともに取り出し位置まで移送されることから、ボトルの供給時におけるボトルとボトルディスペンサーとの衝突はない。
したがって、ボトル供給時おける騒音が極めて小さく抑えられる。
【発明の効果】
【００２２】
本発明のボトルディスペンサーによれば、ボトル供給時のボトルとボトルディスペンサーとの衝突を極力回避してこれらの損傷を防止し、また、ボトル供給時の騒音を抑制し、さらに、ボトル取り出し時において、ボトルとボトルディスペンサーとの摩擦を軽減して取り出しに要する労力を大幅に軽減することができる。
【図面の簡単な説明】
【００２３】
【図１】本発明の一実施形態を示すもので、ボトルディスペンサーの正面図である。
【図２】本発明の一実施形態を示すもので、ボトルディスペンサーに設けられる摩擦軽減手段の斜視図である。
【図３】図２における摩擦軽減手段の変形例を示す斜視図である。
【図４】本発明の他の実施形態を示すもので、ボトルディスペンサーの正面図である。
【図５】本発明の他の実施形態を示すもので、図４におけるＶ−Ｖ線断面図である。
【図６】本発明の他の実施形態を示すもので、図４におけるＶＩ−ＶＩ線断面図である。
【図７】本発明の他の実施形態を示すもので、収納部の分解斜視図である。
【図８】本発明の他の実施形態を示すもので、収納部の外観斜視図である。
【図９】本発明の他の実施形態を示すもので、収納部を間欠移送する間欠移送機構を示す要部の拡大図である。
【図１０】本発明の他の実施形態を示すもので、収納部を間欠移送する間欠移送機構を示す要部の拡大図である。
【図１１】本発明の他の実施形態を示すもので、収納部を間欠移送する間欠移送機構を示す要部の拡大図である。
【図１２】本発明の他の実施形態を示すもので、収納部を間欠移送する間欠移送機構を示す要部の拡大図である。
【発明を実施するための形態】
【００２４】
以下、本発明の一実施形態を図１および図２を参照して説明する。
図１において、符号１は本実施形態に係わるボトルディスペンサーを示し、このボトルディスペンサー１は、箱形の本体２と、内容量の比較的大きなボトルＢを収納するボトル収納部２ａと、このボトル収納部２ａが対向配置され、このボトル収納部の前面を開閉する扉３とを備え、前記ボトル収納部２ａには、収納されるボトルＢが載置されるとともに、このボトルＢの収納時若しくは取り出し時に、このボトルの移動を円滑にする摩擦軽減手段４が設けられている。
【００２５】
ついで、これらの詳細について説明すれば、前記ボトル収納部２ａは、複数（図示例では９個）設けられており、鉛直面内で格子状に配置され、かつ、それぞれの開口部が、前記本体２の一側面に位置させられている。
【００２６】
前記扉３は、前記本体２に蝶番等を用いて開閉可能に設けられているとともに、前面には、その開閉操作を行なうための取手５が設けられている。
【００２７】
また、前記扉３と本体２との間で、前記取手５が設けられた部分には、前記扉３を閉状態に保持するための図示しないロック機構が設けられている。
【００２８】
さらに、前記本体２の前面で、前記ボトル収納部２ａが設けられた部位の側部には、前記ロック機構の開閉操作を行なうための操作部６が設けられている。
【００２９】
この操作部６には、取り出すボトルＢが収納されているボトル収納部２ａを指定するための複数（図示例では９個）のボタン７と、購入代金としての紙幣や硬貨を挿入若しくは投入する料金支払い孔８と、お釣り等を返却する返却孔９が設けられている。
【００３０】
この操作部６において、必要料金を入れ、前記ボタン７を選択して操作することにより、選択されたボタン７に対応したボトル収納部２ａのロック機構が解除されて、このボトル収納部２ａに設けられている扉３が開放可能な状態となされるようになっている。
【００３１】
前記摩擦軽減手段４は、本実施形態においてはローラーコンベアが用いられており、図２に示すように、複数のローラー１０を水平面内において平行に配置して構成され、各ローラー１０は、その両端部において前記本体２に、図示しないベアリングを介して回動自在に取り付けられている。
【００３２】
このように構成された本実施形態に係わるボトルディスペンサー１は、利用者が、操作部６において料金を支払った後、選択したボタン７を操作して目的とするボトル収納部２ａの扉３のロックを解除することにより、ボトルＢを取り出し可能な状態にセットされる。
【００３３】
利用者は、選択したボトル収納部２ａのロック解除された扉３を開けて、その内部のボトルＢを引き出すことによってこのボトルＢを取り出すことができる。
【００３４】
そして、前記ボトルＢを取り出す際に、このボトルＢの引き出し操作に応じて、このボトルＢが載置されている各ローラー１０が回転することから、前記ボトルＢが円滑に引き出される。
したがって、利用者は軽い力で前記ボトルＢを取り出すことができる。
【００３５】
一方、前述した取り出し操作において、前記ボトルＢが取り出し口に既に位置させられており、取り出しに際し本体２内において移動することがない。
したがって、前記ボトルＢと本体２とが衝突する現象が殆どなく、取り出し時の騒音が大幅に減少されるとともに、前記ボトルＢや本体２の損傷は殆どない。
【００３６】
前記ボトルＢは比較的重量のあるものであるが、年長者の方が利用することも想定される。
【００３７】
このような状況に鑑みて、たとえば、ボトルディスペンサー１の最下部に位置されているボトル収納部２ａの摩擦軽減手段４に、図３に示すような工夫を施すこともできる。
【００３８】
すなわち、前記摩擦軽減手段４を構成する各ローラー１０に、一対の円周溝１０ａを形成しておくことである。
【００３９】
そして、図３に符号１１で示すようなフォークを用意しておき、このフォーク１１の一対の爪１１ａを前記各ローラー１０の円周溝１０ａに挿入して前記ボトルＢの下方に位置させ、ついで、これらの爪１１ａを上方へ押し上げることにより前記ボトルＢを持ち上げ、この状態で前記フォーク１１を引き出すことにより前記ボトルＢを取り出すことができる。
【００４０】
このような処置により、年長者の方でも容易にボトルＢの取り出しを行なうことができるようにすることができる。
【００４１】
ついで、本発明の他の実施形態について図４ないし図１２を参照して説明する。
【００４２】
本実施形態は、ボトル収納部Ｃが複数設けられているとともに、各ボトル収納部Ｃの間隔毎に間欠移送させられるようになされ、かつ、前記扉３が、前記複数のボトル収納部Ｃの移送停止時に、一つのボトル収納部Ｃが対向させられる位置に設けられた基本構成となっている。
【００４３】
さらに詳述すれば、前記扉３は単一であり、前記本体２の鉛直面の一つに設けられている。
【００４４】
前記収納部Ｃは、図７および図８に示すように、対向配置される一対の揺動プレート１２と、これらの揺動プレート１２の下部にベアリング等を介して回動自在に取り付けられて両揺動プレート１２を連結する複数のローラー１３と、前記両揺動プレート１２の上部に取り付けられてこれらの揺動プレート１２を連結する揺動軸１４ととによって構成されている。
【００４５】
前記複数のローラー１３は、水平面内において平行に配設されて、その上部に前記ボトルＢが載置されるようになされ、これらのローラー１３によって本実施形態における摩擦軽減手段となされている。
【００４６】
また、前記両揺動プレート１２の下部両側部には、前記ローラー１３に、その最外部において対向位置させられて、前記両揺動プレート１２の下部両側部を覆うストッパー１５が回動可能に設けられている。
【００４７】
これらのストッパー１５は、上方への回動によって、前述したような前記両揺動プレート１２の下部両側部を覆う位置に位置され、下方へ回動させられることによって、前記両揺動プレート１２の下部両側部を開放する位置に位置させられるようになっている。
【００４８】
そして、前記ストッパー１５が揺動プレート１２の下部両側部を覆う位置に位置させられた状態において、前記ローラー１３上に載置される前記ボトルＢの落下を防止し、前記両揺動プレート１２の下部両側部を開放する位置に位置させられた状態において、前記ボトルＢの移動を可能とするようになされている。
【００４９】
前記ボトル収納部Ｃは、前記本体２内に対向設置された一対の回転円盤１６間にベアリング（図示略）等を介して揺動可能に取り付けられ、本実施形態においては、前記回転円盤１６の回転方向に等間隔に８個設けられている。
【００５０】
前記回転円盤１６は、前記本体２内に取り付けられた一対の支持プレート１７間に回転軸１８を介して回転自在に装着されており、この回転軸１８に連結された間欠送り機構１９によって、所定角度、本実施形態では、４５度の角度で間欠的に回転させられるようになっている。
【００５１】
そして、前記間欠送り機構１９による送り停止時において、前記回転円盤１６に装着されている前記複数のボトル収納部Ｃの一つが、前記本体２に設けられている扉３に対向位置させられるようになっている。
【００５２】
前記間欠送り機構１９は、図５に示すように、前記回転軸１８に固定されたドリブンギヤ２０と、このドリブンギヤ２０にベルト若しくはチェーン等の無端帯２１を介して連結されたドライブギヤ２２と、このドライブギヤ２２と同軸上に一体に設けられたカムフォロア２３と、このカムフォロア２３と協働して前記ドライブギヤ２２を前述した所定角度で間欠的に回動させるカム２４と、このカム２４を回転駆動するモーター２５とによって構成されている。
【００５３】
前記カムフォロア２３は、その回転中心から外方へ向け、かつ、前記所定角度の間隔で８カ所に設けられた送り溝２３ａと、これらの送り溝２３ａ間に設けられた８個の係止溝２３ｂを備えている。
【００５４】
前記カム２４は、その回転に伴って前記送り溝２３ａに係脱させられる送りピン２６と、前記係止溝２３ｂに係脱させられる係止ピン２７とを備えており、これらの係合状態が、交互に行なわれるようになされている。
【００５５】
また、前記カム２４の近傍には、図９に示すように、前記係止ピン２７と座延期係止溝２３ｂとの係合位置がほぼ中間位置にある際に、前記送りピン２６によって作動させられるスイッチ２８が設けられている。
【００５６】
このスイッチ２８は、前記送りピン２６によって作動させられた際に、前記モーター２５を停止させて間欠送り機構１９を停止させることにより、前記収納部Ｃを、前記扉３と対向する位置に停止させるよう作用する。
【００５７】
そして、図９に示す位置から、利用者の操作によって前記カム２４が回転させられると、図１０に示すように、前記係止ピン２７が前記係止溝２３ｂから離脱させられると同時に、前記送りピン２６が前記送り溝２３ａへ係合させられる。
【００５８】
これよりさらに前記カム２４の回転が継続され、前記送りピン２６と送り溝２３ａとの協働により、図１１に示すように、前記カムフォロア２３が回転させられて、前記収納部Ｃが回転円盤１６とともに移動させられる。
【００５９】
そして、図１２に示すように、前記送りピン２６と送り溝２３ａとの係合が解除されるまで前記カム２４の回転が継続され、前述した係合が解除された時点で、前記係止ピン２７が前記係止溝２３ｂへ係合し、前記カムフォロア２３の回転が停止される。
【００６０】
さらに、前記カム２４の回転は継続して行なわれるが、前記送りピン２６と送り溝２３ａとの係合が解除されていることにより、前記カム２４の回転は停止され、かつ、前記係止ピン２７と前記係止溝２３ｂとの係合が継続されることにより、前記カムフォロア２３が停止状態に保持される。
【００６１】
前記カム２４の回転は、前記送りピン２７がスイッチ２８を作動させた時点で停止され、図９に示す状態で待機状態に保持される。
【００６２】
このようにして、前記複数の収納部Ｃが次々と前記扉３と対向する位置に移送されて停止させられる。
【００６３】
利用者は、前記収納部Ｃが扉３に対向して停止させられた状態で扉３を開け、前方にあるストッパー１５を押し下げて前記収納部Ｃの前方を開放し、この状態でボトルＢを引き出すことによって、このボトルＢを取り出すことができる。
【００６４】
このように、本実施形態においても、前記ボトルＢを落下させることなく取り出し位置へ送り込むことができ、衝突等の発生が防止されるとともに、摩擦軽減手段１０の作用によって、軽い力での取り出し操作を可能とする。
【００６５】
なお、前記実施形態において示した各構成部材の諸形状や寸法等は一例であって、設計要求等に基づき種々変更可能である。
たとえば、前述した実施形態においては、前記摩擦軽減手段４としてローラーコンベアを用いた例につい示したが、これに代えてベルトコンベアを用いることもできる。
【００６６】
このようにベルトコンベアを用いることにより、その材質を適宜選択して吸音性をもたせることが可能となり、騒音抑制効果をさらに高めることができる。
【００６７】
また、屋外での使用等を考慮し、図５に示すように、前記本体２に排気装置若しくは冷房装置等の空調機２９を設置して、内部温度の管理を行なうようにしてもよく、さらに、ボトル収納部２ａ・Ｃの内部確認を行なえるように、前記扉３を透明としたり、また、この扉３に紫外線カットフィルムを貼着することも考えられる。
【００６８】
そして、前記空調機２９の電源として太陽電池を用いることも可能である。
【００６９】
さらに、図５および図８に示すように、前記回転円盤１６の内側に環状のガイドレール３０を設置しておき、前記揺動プレート１２に、前記ガイドレール３０を挟むようにして係合させられる回動自在な一対のガイドローラ３１を設けることも可能である。
【００７０】
これによって、前記揺動プレート１２の余分な揺れを防止して、収納される前記ボトルＢの姿勢を安定させることができる。
【００７１】
なお、上記実施例ではボトルＢをそのままボトル収納部Ｃに収納する例を示しているが、ボトルＢを箱入りとしたものを収納する形態としても良い。
【符号の説明】
【００７２】
１  ボトルディスペンサー
２  本体
２ａ  ボトル収納部
３  扉
４  摩擦軽減手段
５  取手
６  操作部
７  ボタン
８  料金支払い孔
９  返却孔
１０  ローラー（摩擦軽減手段）
１０ａ  円周溝
１１  フォーク
１１ａ  爪
１２  揺動プレート
１３  ローラー
１４  揺動軸
１５  ストッパー
１６  回転円盤
１７  支持プレート
１８  回転軸
１９  間欠送り機構
２０  ドリブンギヤ
２１  無端帯
２２  ドライブギヤ
２３  カムフォロア
２４  カム
２３ａ  送り溝
２３ｂ  係止溝
２５  モーター
２６  送りピン
２７  係止ピン
２８  スイッチ
２９  空調機
３０  ガイドレール
３１  ガイドローラ
Ｂ  ボトル
Ｃ  ボトル収納部
【図１】
2013114599.tif 000003
【図２】
2013114599.tif 000004
【図３】
2013114599.tif 000005
【図４】
2013114599.tif 000006
【図５】
2013114599.tif 000007
【図６】
2013114599.tif 000008
【図７】
2013114599.tif 000009
【図８】
2013114599.tif 000010
【図９】
2013114599.tif 000011
【図１０】
2013114599.tif 000012
【図１１】
2013114599.tif 000013
【図１２】
2013114599.tif 000014